(57)【要約】      （修正有）【課題】理容・美容鋏の枢着部におけるナットの螺回を容易に且つ円滑に行う枢着部構造を提供する。【解決手段】ナット体８の外周の環状溝９にゴムリング１０を被嵌し、そのゴムリング１０の半径方向の厚みが環状溝９の深さを超えるようにする。【選択図】図１
0003179751.tif 000002
【実用新案登録請求の範囲】
【請求項１】
一対の刃体(1)(2)の中間部に設けた理容・美容鋏の枢着部構造において、
一端に抜け止め手段 (3)が設けられ、他端部の外周に外ネジ(4)が螺刻され、両刃体(1)(2)の軸孔(5)を貫通する枢軸ボルト(6)と、
その枢軸ボルト(6)の外ネジ(4)に螺着される内ネジ孔(7)を中心に有して筒状に形成されたナット体(8)と、を具備し、
ナット体(8)の外周に環状溝(9)が形成され、その環状溝(9)にゴムリング(10)が被嵌され、そのゴムリング(10)の半径方向の厚みが、環状溝(9)の深さを超えることを特徴とする理容・美容鋏の枢着部構造。
【請求項２】
請求項１に記載の理容・美容鋏の枢着部構造において、
前記ナット体(8)の環状溝(9)の対抗する一対の側壁の先端外周に、歯車状の滑り止め部(11)が形成され、前記ゴムリング(10)を指で強く保持したときのみ、その指が滑り止め部(11)に接するように構成した理容・美容鋏の枢着部構造。
【請求項３】
請求項１または請求項２に記載の理容・美容鋏の枢着部構造において、
前記ナット体(8)の軸方向の端部の中心に座部(12)が凹陥され、その座部(12)にそれに整合するゴム板(13)が嵌着され、その平面がナット体(8)の表面より外側に突出された美容鋏の枢着部構造。
【考案の詳細な説明】
【技術分野】
【０００１】
本考案は、理容・美容鋏の枢着部の構造に関するものである。
【背景技術】
【０００２】
従来の理容・美容鋏の枢着部構造は、図８に示す如く、一端に抜け止め手段が設けられた枢着ボルトが一対の刃体1，2の軸孔に貫通する。そしてその枢着ボルトの先端部にナットが螺着され、そのナットの外周を指で把持して回転することのより、軸部の締め付け程度を調整できるようになっている。
【先行技術文献】
【特許文献】
【０００３】
【特許文献１】特開２０１２−１４３４５２号公報
【特許文献２】特開２０１０−２４６７５７号公報
【考案の概要】
【考案が解決しようとする課題】
【０００４】
理容師または美容師にとって、快適な鋏の操作を行うための枢着部の締め付けの程度は、人それぞれ異なっている。
また、同一の人が鋏の各種使い方に応じて、締め付けの程度を調整する場合もある。さらには、体調により締め付けの程度を調整することも生じる。
ところが、鋏の枢着部のナットは直径１ｃｍ前後または、それ以下の小さいものである。そのため、そのナットを締め付けたり緩めたりする操作は、結構面倒なものとなる。
【０００５】
通常、ナット外周にはローレットが形成され、その外周部を親指と人差し指とで摘んだ状態で回転させる。ところが、理容師及び美容師は各種洗剤や薬品を多く使用し、それによって手先が荒れて皮膚が薄くなっていることが多い。すると、ナット外周のローレットを指で摘んで回転させるとき、痛みを生じることがしばしば起こる。特に、比較的強くナットを締めたり、その閉め過ぎのナットを緩めたりするときに、より強い痛みを生じる。
そこで本考案は、係る理容師または美容師にとって枢着部の回転が容易で且つ、痛みを生じない、指にやさしい鋏を提供することを課題とする。
【課題を解決するための手段】
【０００６】
請求項１に記載の本考案は、一対の刃体(1)(2)の中間部に設けた理容・美容鋏の枢着部構造において、
一端に抜け止め手段 (3)が設けられ、他端部の外周に外ネジ(4)が螺刻され、両刃体(1)(2)の軸孔(5)を貫通する枢軸ボルト(6)と、
その枢軸ボルト(6)の外ネジ(4)に螺着される内ネジ孔(7)を中心に有して筒状に形成されたナット体(8)と、を具備し、
ナット体(8)の外周に環状溝(9)が形成され、その環状溝(9)にゴムリング(10)が被嵌され、そのゴムリング(10)の半径方向の厚みが、環状溝(9)の深さを超えることを特徴とする理容・美容鋏の枢着部構造である。
【０００７】
請求項２に記載の本考案は、請求項１に記載の理容・美容鋏の枢着部構造において、
前記ナット体(8)の環状溝(9)の対抗する一対の側壁の先端外周に、歯車状の滑り止め部(11)が形成され、前記ゴムリング(10)を指で強く保持したときのみ、その指が滑り止め部(11)に接するように構成した理容・美容鋏の枢着部構造である。
【０００８】
請求項３に記載の本考案は、請求項１または請求項２に記載の理容・美容鋏の枢着部構造において、
前記ナット体(8)の軸方向の端部の中心に座部(12)が凹陥され、その座部(12)にそれに整合するゴム板(13)が嵌着され、その平面がナット体(8)の表面より外側に突出された理容・美容鋏の枢着部構造である。
【考案の効果】
【０００９】
本考案の理容・美容鋏は、ナット体８の外周の環状溝９にゴムリング(10)が被嵌され、そのゴムリング10の半径方向の厚みが、環状溝９の深さを超えるものである。
そのため、使用者がゴムリング10を指で摘んで軽く回転でき、鋏の軸部の締め具合を容易に調整できる。このとき、指はゴムリングに接触し、ソフトな感覚を得ると共に、ゴムの滑り止め機能により、軸部の回転が容易である。特に、理容師・美容師は各種洗剤、薬品を多く使用し、指先が荒れて、皮膚が薄くなっていることが多い。しかし、その指先の接触する小さなナット体８の外周には、ゴムリング10が被嵌されているので、その回転の際に痛みを感じることがない。
【００１０】
請求項２に記載の鋏は、ナット体８の環状溝９の側壁の先端外周に、滑り止め部11が形成され、前記ゴムリング10を指で強く保持したときのみ、その指が滑り止め部11に接するように構成したものである。
そのため、鋏の軸部をより強く締めるとき、歯車状の滑り止め部11を利用して、確実に軸部を締めつけることが可能となる。強く締めた軸部を緩めるときも同様である。さらには、歯車状の外周の外側にゴムリング10が存在し、両者の組合せによるデザインも体裁がよい。
【００１１】
請求項３に記載の鋏は、ナット体８の中心にゴム板13が嵌着され、その平面がナット体８の表面より外側に突出されたものである。
そのため、そのゴム板13に指先が触れた状態で、それを支点として鋏の操作を円滑に行うことができる。このとき、指先はゴム板13に接触するため、その接触の感触がよく、且つ、支点が振れることがない。さらには、鋏の軸部の中心にゴム板13が存在し、斬新なデザインとなり、体裁がよい。
【図面の簡単な説明】
【００１２】
【図１】本考案の鋏の枢着部の横断面図。
【図２】同枢着部の斜視図。
【図３】同枢着部の分解図。
【図４】同枢着部の回転時の作用を示す説明図であって、通常の回転時の状態を示す。
【図５】同回転の状態を示す説明図であって、特に強く締め付け又は、強く締め付けたものを緩めるときの回転時の説明図。
【図６】本考案の鋏19のゴム板13の使用状態を示す説明図。
【図７】本考案の他の実施例のナット体８の縦断面図。
【図８】従来の鋏の枢着部の斜視図。
【考案を実施するための形態】
【００１３】
次に、図面に基づいて本考案の実施の形態につき説明する。
本考案の理容・美容鋏の枢着部は、図１〜図３に示す如く、枢軸ボルト６とナット８とゴムリング10及びゴム板13を有する。
枢軸ボルト６は、一端にフランジからなる抜け止め手段３が設けられ、他端部の外周に外ネジ４が螺刻されている。さらに、その中間部に横断面正方形の方形部18が形成され、その方形部18と抜け止め手段３との間に円形部20が形成されている。
【００１４】
次に、ナット体８は枢軸ボルト６の外ネジ４に螺着される内ネジ７を中心に有して、筒状に形成されている。その下端部外周は、二段の段付きに形成されている。さらに、その上端部外周には環状溝９が形成され、そこに一対の対向する環状の側壁部を有し、その側壁部の先端外周にピッチの小さな歯車状の滑り止め部11が形成されている。
そして、枢軸ボルト６の円形部20が下側の刃体２の円形の軸孔５に座金16及びベアリング14を介して嵌着される。さらに、枢軸ボルト６の方形部18が上側の刃体１の軸孔５に嵌着される。この上側の刃体１の軸孔５は、方形部18の外周に整合する矩形孔をなす。この矩形孔は刃体１の円形孔内のフランジに形成されている。
【００１５】
そして、上側の刃体１の円形孔内にスペーサ17が挿通されると共に、枢軸ボルト６の外ネジ４にナット体８の内ネジ７が螺着され、ナット体８と上側の刃体１との間に座金15が介装される。そして、枢着ボルト６は、上側の刃体１の矩形孔に嵌着しているので、そのボルト６は上側の刃体１に対しては、回り止めされ、下側の刃体２に対してはベアリング14を介して自由に相対回転する。
【００１６】
次に、ナット体８の滑り止め部11には、横断面方形のゴムリング10が嵌着される。
このゴムリング10は、一例としてゴム硬度３０程度の比較的軟らかいシリコンゴムを用いることができる。それにより、ゴムリング10に指を触れたときソフトに接触すると共に、指との接触部にしっとり感が生じ、触り心地が良い。ゴムリング10の半径方向の厚みは、図１に示す如く、環状溝９の深さよりも大きい。それにより、ゴムリング10の外表面がナット体８の滑り止め部11の外側に十分突出する。
ナット体８の端面のボルト孔の周縁部には円形の座部12が凹陥され、そこに円形のゴム板13が嵌着される。このゴム板13は、座部12に接着剤を介して止着される。同様にゴムリング10も環状溝９に接着剤で接合することが好ましい。
【００１７】
（作用）
このように組み立てられた本考案の鋏は、その枢着部を締め付けたり緩めたりするとき、通常、図４の状態で行う。即ち、ナット体８のゴムリング10を親指と人差し指で挟んだ状態で軽く回転することができる。それにより、容易に鋏の軸部を締め付けたり緩めたりすることができる。このとき指は、ゴムリング10に接触しソフトな感覚を得ると共に、ゴムの滑り止め機能により軸部の回転が容易である。特に、指先が荒れて皮膚が薄くなっている場合においても、本考案の鋏によれば、ゴムリング10の存在により、その回転の際に痛みを感じることがない。
【００１８】
次に、図５は鋏の枢着部を、特に強く締め付けるとき、或いは強く締め付けた軸部を緩めるときの作用を示すものである。
このとき、ナット体８の外周を親指と人差し指でより強く把持する。すると、ゴムリング10の外周は鎖線の状態から実線の状態に変形する。それにより、指は滑り止め部11に接触し、ゴムリング10及び滑り止め部11との接触抵抗が強まり、より強い締め付けが可能となる。
また、より強く締め付けられたナット体８を緩めることも可能となる。
【００１９】
次に、図６は鋏19の使用中の状態を示した一例であり、この例では理容師または美容師は、一つの指先をナット体８のゴム板13に軽く触れ、その状態で鋏操作を行う。これにより、ゴム板13を支点として鋏の操作を円滑に行うことができる。このとき、指先はゴム板13に接触するため、その感触が良く且つ、支点がぶれることがない。
さらには、鋏の軸部の中心に円形のゴム板13が存在し、斬新なデザインとなり体裁が良い。
【００２０】
次に、図７はナット体８の他の実施例であり、この例が前記実施例と異なる点は、ゴムリング10の断面形状のみである。この例では、断面矩形のゴムリング10の外周面が凹湾曲している。この場合にも、指先の接触の感触がよい。
【符号の説明】
【００２１】
１  刃体
２  刃体
３  抜け止め手段
４  外ネジ
５  軸孔
６  枢軸ボルト
７  内ネジ
８  ナット体
９  環状溝
【００２２】
10  ゴムリング
11  滑り止め部
12  座部
13  ゴム板
14  ベアリング
15  座金
16  座金
17  スペーサ
18  方形部
19  鋏
20  円形部
【図１】
0003179751.tif 000003
【図２】
0003179751.tif 000004
【図３】
0003179751.tif 000005
【図４】
0003179751.tif 000006
【図５】
0003179751.tif 000007
【図６】
0003179751.tif 000008
【図７】
0003179751.tif 000009
【図８】
0003179751.tif 000010